(57)【特許請求の範囲】
【請求項１】
めっき用鋼板の連続焼鈍炉の炉内雰囲気の低露点化のために前記炉内雰囲気の一部であるガスを炉外に設けたリファイナーに取り込んで除湿・脱酸した後、再び炉内へ吹き込む、連続焼鈍炉内における炉内雰囲気改善方法において、前記リファイナーへの炉内ガスの取込口を前記連続焼鈍炉に複数配置し、前記複数配置する炉内ガスの取込口を、炉内のめっき用鋼板温度の変化に対応して選択使用される構成とし、前記複数配置した炉内ガスの取込口のうち、めっき用鋼板温度が２００〜６００℃の範囲すなわち水分量が高い箇所となる配置箇所の取込口を選択使用することを特徴とする連続焼鈍炉内における炉内雰囲気改善方法。
【発明の詳細な説明】
【技術分野】
【０００１】
本発明は、連続焼鈍理炉内における炉内雰囲気改善方法に関し、詳しくは、連続焼鈍炉内における炉内雰囲気ガスの露点を低減し、めっき付着が良好な鋼板を有利に生産するための、連続熱処理炉内における炉内雰囲気改善方法に関する。
【背景技術】
【０００２】
連続焼鈍炉において、熱処理後の鋼板表面の化成処理性向上および高張力鋼板のめっき性を向上させるために炉内雰囲気ガスの露点は−４５度以下が目標とされることが知られている。従来技術の連続焼鈍炉内雰囲気ガスの露点低減方法としては、加熱帯または均熱帯毎に低露点の雰囲気ガスを分配して供給する方法（特許文献１参照）等が行われていたが、この方法では、低温の雰囲気ガスを高温の焼鈍炉に導入するため、焼鈍に必要な高温を保持するには多大な加熱エネルギーを必要としていた。
【０００３】
一方で、炉内の雰囲気ガスを循環させる機構を設けることで、循環させる高温の雰囲気ガスと新しく炉内へ供給する常温の雰囲気ガス間で熱交換させる技術（特許文献２参照）等があるが、この方法では充分に炉内の露点の低減化が賄えない。
そこで、炉内雰囲気ガスの低露点化を行うために炉内の雰囲気ガスの一部を炉外のリファイナーへ取込み、除湿・脱酸を行った後に再び炉内へ供給し、これ繰り返す方法を利用すると効率的に低露点が可能となる。この場合、焼鈍炉に取り付けられた取込口から雰囲気ガスをリファイナー装置へ取込むことになるが、リファイナーの除湿機の性質上、除湿後の供給ガス水分量は、取込ガス水分量によらずほぼ一定となるため、取込むガスの水分量が多いほど、除湿機での除湿量は大きくなる。したがって、焼鈍炉内部で水分量が多い箇所から、ガスを取込み、除湿・脱酸したガスを炉内へ戻すことを繰り返すことにより露点を充分に下げることができて、より効果的に炉内の低露点化に貢献することができる。
【先行技術文献】
【特許文献】
【０００４】
【特許文献１】特開２００２−３９５３号公報
【特許文献２】特開昭６２−２９０８３０号公報
【発明の概要】
【発明が解決しようとする課題】
【０００５】
しかし、焼鈍炉内の各箇所における水分量の大小の分布を把握するには、炉内に多数の水分計を設置する必要があるが、実操業では困難である。また、炉内の水分量を把握できても炉内ガスの取込口が１箇所では、最適な取込口とはならない。つまり、従来技術ではリファイナーへ送る炉内ガスの取込口の最適化が必ずしもされているとは言い難く、この点が課題であった。
【０００６】
そこで、本発明は、前記課題を解決する連続焼鈍炉内における炉内雰囲気改善方法を提供することを目的とする。
【課題を解決するための手段】
【０００７】
本発明者は、前記課題を解決するために、鋭意検討した結果、炉内の水分量分布を実操業に適合する方法で把握し、炉に複数の取込口を設置して、これら取込口を選択できるようにしてリファイナーで除湿・脱酸するとの着想を得た。すなわち、焼鈍炉の炉壁に炉内ガスの取込口（取込配管）を複数設置するとともに、焼鈍炉内複数箇所の温度について実測または温度解析により推定して、その結果から炉内雰囲気の水分量を推定し、該推定した結果に基き、前記複数設置された取込口の中から、水分量の多い箇所に近い取込口を選択し、そこから雰囲気ガスをリファイナーに取り込むことによって、積極的にリファイナーの除湿機に水分量の多い雰囲気ガスを送る事ができて、効率的に焼鈍炉内の低露点化が叶うことに想到し、以下の要旨構成になる本発明をなした。
（１）めっき用鋼板の連続焼鈍炉の炉内雰囲気の低露点化のために前記炉内雰囲気の一部であるガスを炉外に設けたリファイナーに取り込んで除湿・脱酸した後、再び炉内へ吹き込む、連続焼鈍炉内における炉内雰囲気改善方法において、前記リファイナーへの炉内ガスの取込口を前記連続焼鈍炉に複数配置し、前記複数配置する炉内ガスの取込口を、炉内のめっき用鋼板温度の変化に対応して選択使用される構成とし、前記複数配置した炉内ガスの取込口のうち、めっき用鋼板温度が２００〜６００℃の範囲すなわち水分量が高い箇所となる配置箇所の取込口を選択使用することを特徴とする連続焼鈍炉内における炉内雰囲気改善方法。
【発明の効果】
【０００８】
本発明によれば、上記構成を採用したから、焼鈍炉内を低露点化するためにリファイナー設備によって炉内雰囲気ガスを取り込み、除湿・脱酸した上で炉内に再び戻す際に、水分量が高い箇所を選択してそこから炉内の雰囲気ガスを取り込み、ほぼ一定の低露点としたガスを炉内へ供給するため、焼鈍炉内をより低露点化することができる。また、炉内から取り込む流量が制限された場合においても、取込口を選択しかつ、繰り返し除湿を行うことによって、効率よく除湿を行うことができて、設備の大型化を行う必要がなく、少ない流量で大きな除湿効果が効率良く得られる。その結果、炉内ガス取り込みに伴う炉内熱量の減少を補完するための焼鈍炉に投入する熱量も低減することができて、炉のエネルギー原単位削減にも有効である。
【図面の簡単な説明】
【０００９】
【図１】本発明の実施例を模式的に表した断面図である。
【図２】図１のA部詳細図である。
【発明を実施するための形態】
【００１０】
本発明では、リファイナー設備を用いて焼鈍炉内の水分を除去する場合、炉全体の任意の１箇所の雰囲気ガスを取り込むよりも、焼鈍炉内で水分量の高い位置を実測または推定し、その部分から雰囲気ガスを取り込むことによって、より効率よく焼鈍炉内の水分を除去する。鋼板の成分、焼鈍前の鋼板の処理状態、または鋼板表面の酸化状態にもよるが、焼鈍炉内で鋼板が加熱される場合、２００〜６００℃付近に温度上昇すると、焼鈍炉内の水素ガスと、鋼板表面の酸化鉄中の酸素が結びつき水分へと変化する。すなわち、焼鈍炉内の任意の位置での鋼板温度について実測または温度解析により推定することによって、前記鋼板温度となる取込口から炉内雰囲気ガスを取り込むことによって、有効に水分量の高い雰囲気ガスを取り込むことができる。
【００１１】
また、焼鈍炉内での鋼板温度は鋼板のサイズや製造条件に伴い変化し、常に炉内の同じ位置で同じ鋼板温度になるとは限らないため、鋼板の温度変化を実測または温度解析により推定して、取込口を最適な位置とする必要がある。そこで、炉壁に複数の炉内ガス取込口を設置して、鋼板温度の変化に伴う水分量の多い最適な取込口を選択することによって、ガスの水分量によらずほぼ一定に除湿できるリファイナー設備の除湿能力を有効に活用出来るようにする。
【実施例】
【００１２】
図１は本発明の一実施例（本発明例）に用いた縦型連続焼鈍炉を示すもので、図２は図１の一点鎖線枠内を拡大した図である。１はＺｎ合金めっき原板とされる鋼板、２は炉内ロール（焼鈍炉内のロール）、３は連続焼鈍炉、４は雰囲気ガス取り込み用に炉壁に複数配置した取込口Ａ〜Ｆに接続する取込配管、５は送風機、６は熱交換器、７はリファイナー（除湿・脱酸装置）、８は取り込んだ雰囲気ガスをリファイナー７で除湿・脱酸後に炉内へ戻す、炉内への供給配管、９，１０，１１は夫々取込口Ｂ，Ｄ,Ｆ用取り込み弁であり（取込口Ａ，Ｃ，Ｅも同様に取り込み弁を有し）、これら取込口を炉内の鋼板温度の変化に対応して選択使用されるものとする構成の要素である。なお、Ｇは焼鈍炉出側である。
【００１３】
本発明では、連続焼鈍炉３において、通常運転時に焼鈍炉内の雰囲気ガスの一部をリファイナー７に取り込んで除湿を行う場合、焼鈍炉３内もしくは焼鈍炉３に鋼板1が入る前と出た後の温度計から、焼鈍炉３内における鋼板１の温度推移を鋼板温度解析により推定し、あるいは温度計を焼鈍炉内に装入し実測した。その鋼板温度の推定または実測結果から、鋼板温度が２００〜６００℃の温度となる位置の取込口を一つまたは複数選択し、当該取込口の取り込み弁を開け、それ以外は取り込み弁を閉じる。取込弁を開けた取込口が選択使用分となる。鋼板１のサイズや焼鈍炉３の温度によって、鋼板の温度は時々刻々変化するが、その変化に対応して、焼鈍炉３内における鋼板１の温度を推定または実測し、最適な取込口を選択使用する。
【００１４】
連続焼鈍炉３の操業において、上記した本発明の実施形態範囲内で取込口の選択使用形態を鋼板温度２００〜６００℃の位置に対応して種々変更した本発明例、一対の（２つある）取込口の一方を閉じて取込口を１個のみに固定した比較例、取込口無しとした従来例の各々について、焼鈍炉内の平均露点及び連続焼鈍後のＺｎ合金めっきの密着状態を調査した。その結果を、前記変更した条件と共に表１に示す。表１より、本発明例では、従来例、比較例と比べて、さらなる低露点化が達成でき、Ｚｎ合金めっきの強固な密着状態が実現できたことが分る。
【００１５】
【表１】
0005884171.tif 000002
【符号の説明】
【００１６】
１  鋼板
２  炉内ロール
３  連続焼鈍炉
４  取込配管
５  送風機
６  熱交換器
７  リファイナー（除湿・脱酸装置）
８  炉内への供給配管
９  取込口Ｂ用取り込み弁
１０  取込口Ｄ用取り込み弁
１１  取込口Ｆ用取り込み弁
Ａ  取込口Ａ
Ｂ  取込口Ｂ
Ｃ  取込口Ｃ
Ｄ  取込口Ｄ
Ｅ  取込口Ｅ
Ｆ  取込口Ｆ
Ｇ  焼鈍炉出側
【図１】
0005884171.tif 000003
【図２】
0005884171.tif 000004